(57)【要約】【課題】建物内に明確に区分されたプレイスペースとベッドスペースとを備えながらも、建物の内部空間を有効的に利用することができ、快適な居住環境を形成することが可能な建物を提供することを目的とする。【解決手段】上下階に上階部屋２および下階部屋３をそれぞれ有するとともに、下階床３ａの一部の上に中間床４ａが設けられ、この中間床４ａと上階床２ａとの間が中間部屋４とされた建物１において、上階床２ａに、中間部屋４に向かって開口する開口部５が形成されるとともに、この開口部５の位置に対応して、上階床２ａと中間床４ａとの間に梯子６が架設されている。これにより、建物内に明確に区分されたプレイスペースとベッドスペースとを備えながらも、建物の内部空間を有効的に利用することができる。【選択図】図１
2008196110.tif 000002
【特許請求の範囲】
【請求項１】
上下階に上階部屋および下階部屋をそれぞれ有するとともに、下階床の一部の上に中間床が設けられ、この中間床と上階床との間が中間部屋とされた建物において、
前記上階床に、前記中間部屋に向かって開口する開口部が形成されるとともに、この開口部の位置に対応して、前記上階床と中間床との間に梯子が架設されていることを特徴とする建物。
【請求項２】
請求項１に記載の建物において、
前記開口部には、この開口部を閉塞する閉塞部材が設けられており、この閉塞部材の上面は、前記上階床の床面と略面一となっていることを特徴とする建物。
【請求項３】
請求項２に記載の建物において、
前記閉塞部材は、前記開口部の周囲に立設され、前記上階床に対して着脱自在な手摺り壁であることを特徴とする建物。
【請求項４】
請求項２または３に記載の建物において、
前記閉塞部材は、前記上階部屋と中間部屋とを連通する複数の通気孔を備えていることを特徴とする建物。
【請求項５】
請求項１〜４のいずれか一項に記載の建物において、
前記上階部屋には、上階に設けられたその他の部屋に通じる出入口が設けられていることを特徴とする建物。
【発明の詳細な説明】
【技術分野】
【０００１】
本発明は、上下階に上階部屋および下階部屋をそれぞれ有するとともに、下階床の一部の上に中間床が設けられ、この中間床と上階床との間が中間部屋とされた建物に関する。
【背景技術】
【０００２】
従来、住宅等の建物において子供部屋は、勉強、読書、遊び等の日常活動のためのプレイスペースと、就寝、休憩等のためのベッドスペースとを備えており、これらプレイスペースとベッドスペースとが、明確に区分されない状態で１つの居住領域内に、かつ同じ床面上に配置されている（例えば、特許文献１参照）。
また、このように１つの居住領域にプレイスペースとベッドプレースとを配置することは、子供部屋に限られたものではない。例えば大人が使う部屋でも、仕事等のためのスペースと、就寝等のためのスペースとを１つの居住領域内に配置することが行われている。
【特許文献１】特開平１１−２７０１５７号公報
【発明の開示】
【発明が解決しようとする課題】
【０００３】
ところが、このようにプレイスペースとベッドスペースとを１つの居住領域内に、かつ同じ床面上に配置すると、例えばベッドスペースに、玩具や本等が散乱したり、逆にベッドスペース上のベッドの布団等が、ベッドからプレイスペース上に落ちてしまったりして、これら両スペースが渾然となってしまいやすい場合がある。
【０００４】
そこで、これら両スペースが渾然となることを防ぐために、これら両スペース間に棚などを設置したり、それぞれのスペースの面積を広くしたりして、これら両スペースの区分を明確にするための工夫がなされていた。
【０００５】
ところが、このように両スペース間に棚などを設置すると、これら両スペース間の移動が不便となるばかりか、これら両スペースの面積を狭めてしまうことになる。一方、それぞれのスペースの面積を広くすると、部屋全体の面積が広くなってしまうため、子供部屋が広くなった分、他の居住空間を狭めなければならない等、建物の内部空間を有効的に利用することが難しい場合がある。
【０００６】
本発明の課題は、建物内に明確に区分されたプレイスペースとベッドスペースとを備えながらも、建物の内部空間を有効的に利用することができ、快適な居住環境を形成することが可能な建物を提供することを目的とする。
【課題を解決するための手段】
【０００７】
請求項１に記載の発明は、例えば図１〜図３に示すように、上下階に上階部屋２および下階部屋３をそれぞれ有するとともに、下階床３ａの一部の上に中間床４ａが設けられ、この中間床４ａと上階床２ａとの間が中間部屋４とされた建物１において、
前記上階床２ａに、前記中間部屋４に向かって開口する開口部５が形成されるとともに、この開口部５の位置に対応して、前記上階床２ａと中間床４ａとの間に梯子６が架設されていることを特徴とする。
【０００８】
請求項１に記載の発明によれば、前記上階床２ａに、前記中間部屋４に向かって開口する開口部５が形成されるとともに、この開口部５の位置に対応して、前記上階床２ａと中間床４ａとの間に梯子６が架設されているので、前記上階部屋２および中間部屋４間を容易に行き来することができ、これら上階部屋２および中間部屋４を、それぞれプレイスペースまたはベッドスペースとして明確に区分して利用することができる。
また、このようにプレイスペースおよびベッドスペースを、上下に振り分けることができることから、従来とは異なり、これら両スペースのそれぞれの面積を狭めたり、上階および下階に設けられたその他の居住空間を必要以上に狭めることがないので、建物１の内部空間を有効的に利用することができる。
これによって、建物１内に明確に区分されたプレイスペースとベッドスペースとを備えながらも、建物１の内部空間を有効的に利用することができ、快適な居住環境を形成することが可能となる。
【０００９】
請求項２に記載の発明は、例えば図１、図２および図４に示すように、請求項１に記載の建物１において、
前記開口部５には、この開口部５を閉塞する閉塞部材７が設けられており、この閉塞部材７の上面は、前記上階床２ａの床面と略面一となっていることを特徴とする。
【００１０】
請求項２に記載の発明によれば、前記開口部５には、この開口部５を閉塞する閉塞部材７が設けられていることから、この閉塞部材７によって開口部５を閉塞することによって、前記上階部屋２と中間部屋４とを区切ることができるので、これら上階部屋２および中間部屋４を、それぞれ別個の部屋として使用することができる。
また、前記閉塞部材７の上面は、前記上階床２ａの床面と略面一となっているので、上階部屋２を、中間部屋４とは別個の部屋として使用した際に、上階床２ａの床面とと閉塞部材７の上面との間を違和感なく行き来したり、段差なく物品を載置することができる。
【００１１】
請求項３に記載の発明は、例えば図１、図２および図５に示すように、請求項２に記載の建物１において、
前記閉塞部材７は、前記開口部５の周囲に立設され、前記上階床２ａに対して着脱自在な手摺り壁８，８であることを特徴とする。
【００１２】
請求項３に記載の発明によれば、前記閉塞部材７は、前記開口部５の周囲に立設され、前記上階床２ａに対して着脱自在な手摺り壁８，８であることから、この手摺り壁８，８によって開口部５を閉塞することと、この手摺り壁８，８を収納することとを同時に行うことができるので使い勝手が良い。
【００１３】
請求項４に記載の発明は、例えば図８に示すように、請求項２または３に記載の建物１において、
前記閉塞部材７は、前記上階部屋２と中間部屋４とを連通する複数の通気孔７ａ，７ａ…を備えていることを特徴とする。
【００１４】
請求項４に記載の発明によれば、前記閉塞部材７は、前記上階部屋２と中間部屋４とを連通する複数の通気孔７ａ，７ａ…を備えていることから、前記開口部５を閉塞部材７によって閉塞した後も、前記上階部屋２および中間部屋４間の通気性の低下を防ぐことができるので、より快適な居住環境を形成することが可能となる。
【００１５】
請求項５に記載の発明は、例えば図２に示すように、請求項１〜４のいずれか一項に記載の建物１において、
前記上階部屋２には、上階に設けられたその他の部屋に通じる出入口２ｂが設けられていることを特徴とする。
【００１６】
請求項５に記載の発明によれば、前記上階部屋２には、上階に設けられたその他の部屋に通じる出入口２ｂが設けられていることから、前記梯子６を昇降する以外にも上階部屋２へと通じる経路を確保することができるので使い勝手が良い。
【発明の効果】
【００１７】
本発明によれば、上階床に、中間部屋に向かって開口する開口部が形成されるとともに、この開口部の位置に対応して、上階床と中間床との間に梯子が架設されているので、上階部屋および中間部屋間を容易に行き来することができ、これら上階部屋および中間部屋を、それぞれプレイスペースまたはベッドスペースとして明確に区分して利用することができる。
また、このようにプレイスペースおよびベッドスペースを、上下に振り分けることができることから、従来とは異なり、これら両スペースのそれぞれの面積を狭めたり、上階および下階に設けられたその他の居住空間を必要以上に狭めることがないので、建物の内部空間を有効的に利用することができる。
これによって、建物内に明確に区分されたプレイスペースとベッドスペースとを備えながらも、建物の内部空間を有効的に利用することができ、快適な居住環境を形成することが可能となる。
【発明を実施するための最良の形態】
【００１８】
以下、図面を参照して本発明の実施の形態について説明する。
【００１９】
本実施の形態の建物１は、例えば図１〜図３に示すように、上下階に上階部屋２および下階部屋３をそれぞれ有するとともに、下階床３ａの一部の上に中間床４ａが設けられ、この中間床４ａと上階床２ａとの間が中間部屋４とされたものであり、前記上階床２ａに、前記中間部屋４に向かって開口する開口部５が形成されるとともに、この開口部５の位置に対応して、前記上階床２ａと中間床４ａとの間に梯子６が架設されている。
【００２０】
なお、本実施の形態の建物１は、上下２階建ての住宅となっており、上階には、前記上階部屋２の他にも複数の部屋が設けられており、下階には、前記下階部屋３の他にも複数の部屋が設けられている。
また、上階部屋２は、図２に示すように、対照的に構成された部屋を備えており、これに対応して、前記開口部５や梯子６、後述するベッド１１、出入口２ｂ等が２つずつ具備されている。
【００２１】
また、前記中間床４ａと上階床２ａとの間が中間部屋４とされている一方、前記中間床４ａと下階床３ａとの間は、所定の天井高を有する収納室１０となっている。そして、このように前記中間床４ａと下階床３ａとの間に収納室１０を設けることができるので、建物１の内部空間を有効的に利用することができるようになっている。
【００２２】
ここで所定の天井高とは、人が前記収納室１０に入って、何とか作業ができる最低限の高さを確保でき、また、このように天井高を必要最小限に抑えることで、建物１の高さが高くなることによって隣接する建物に及ぼす日照減少等の影響を極力少なくすることができるような高さであり、例えば０．９ｍ〜１．４ｍの範囲に設定されている。
【００２３】
なお、この収納室１０の出入口１０ａは、下階部屋３に開口しており、下階部屋３から物品の搬出入を行うことができる。また、前記収納室１０の床面は下階床３ａであり、この収納室１０に隣接する下階部屋３と同床レベルで物品の搬入や搬出作業を行うことができるので、例えば比較的重量な物品等でも収納しやすく使い勝手が良い。
【００２４】
一方、本実施の形態の上階部屋２は、図１および図２に示すように、壁際にベッド１１が設置されていることから、就寝、休憩等のためのベッドスペースとして用いられており、対称的に構成された部屋を備えている。そして、この上階部屋２の上階床２ａには、前記開口部５が形成されている。
また、この上階部屋２には、図２に示すように、上階に設けられたその他の部屋に通じる出入口２ｂが設けられており、前記梯子６を昇降する以外にも下階から上階部屋２へと通じる経路を確保することができるので使い勝手が良い。
【００２５】
続いて、本実施の形態の下階部屋３は、前記中間部屋４と収納室１０とを合わせた分の天井高を有する吹抜け空間となっているので、開放感を得ることができ、快適な居住環境を形成することが可能となっている。
また、この下階部屋３には、図１および図３に示すように、前記中間部屋４との行き来を行う階段１２が、中間部屋４に隣接するようにして設けられている。
【００２６】
さらに、本実施の形態の中間部屋４は、図１および図３に示すように、窓際に机１３および椅子１４，１４…が設置されていることから、勉強、読書、遊び等の日常活動のためのプレイスペースとして用いられている。
【００２７】
また、この中間部屋４には、前記中間床４ａおよび上階床２ａ間に前記梯子６を架設するための第１壁部１５が立設されており、この第１壁部１５に対向する位置に、前記下階部屋３に面する第２壁部１６が立設されている。そして、これら第１壁部１５および第２壁部１６間の距離は、図１に示すように、前記開口部５の大きさに合わせて設定されており、これら第１壁部１５および第２壁部１６によって囲まれた位置が、上階部屋２と中間部屋４とを行き来するための昇降スペースとして利用されている。
なお、図示はしないが、前記梯子６の直下に位置する床の上層には、例えばマット等のようにクッション性や弾力性の高い素材を用いるようにしても良い。
【００２８】
なお、前記中間部屋４は、下階床３ａよりも高い位置に設けられているだけでなく、下階部屋３との間に、前記階段１２や第１壁部１５および第２壁部１６が設けられているので、下階部屋３からの視線を完全に遮蔽できないながらも、下階部屋３とは独立した状態となっている。
【００２９】
次に、前記開口部５は、図２に示すように、平面視矩形状に形成されている。そして、この開口部５には、図４に示すように、この開口部５を閉塞する閉塞部材７が設けられており、この閉塞部材７によって開口部５を閉塞することによって、前記上階部屋２と中間部屋４とを区切ることができるようになっている。
【００３０】
なお、前記閉塞部材７は、図８に示すように、前記上階部屋２と中間部屋４とを連通する複数の通気孔７ａ，７ａ…を備えていても良い。これにより、例えば前記開口部５を閉塞部材７によって閉塞した後も、前記上階部屋２および中間部屋４間の通気性の低下を防ぐことができ、快適な居住環境を形成することが可能となるので好ましい。
また、この開口部５には、前記閉塞部材７によって閉塞する際に、この閉塞部材７を受けるための受け部１７が設けられているので、閉塞部材７を確実に支持できるようになっている。
さらに、図示はしないが、閉塞部材７には、この閉塞部材７を起こして前記開口部５を開放するときのために把手を設けるようにしても良い。
【００３１】
そして、このように前記開口部５に、この開口部５を閉塞する閉塞部材７が設けられていることによって、上階部屋２と中間部屋４とを区切ることができるので、これら上階部屋２および中間部屋４を、それぞれ別個の部屋として使用することができる。
すなわち、例えば前記上階部屋２および中間部屋４を子供部屋として使用していた場合、子供が成長した後は、これら上階部屋２および中間部屋４をプレイスペースとベッドスペースとして使用せずとも良いので、前記閉塞部材７によって開口部５を閉塞することによって、前記上階部屋２および中間部屋４を、それぞれ異なる目的の部屋として使用することができる。
【００３２】
また、この閉塞部材７の上面は、前記上階床２ａの床面と略面一となっており、前記上階部屋２を、中間部屋４とは別個の部屋として使用した際に、上階床２ａの床面と閉塞部材７の上面との間を違和感なく行き来したり、段差なく物品を載置することが可能となっている。
【００３３】
そして、この閉塞部材７としては、図５に示すように、前記開口部５の周囲に立設され、前記上階床２ａに対して着脱自在な手摺り壁８，８が用いられている。そして、この手摺り壁８，８によって開口部５を閉塞することと、この手摺り壁８，８を収納することとを同時に行うことができるので使い勝手が良い。
なお、この手摺り壁８，８は、前記梯子６の上端部付近、すなわち梯子６からの上がり口には立設されていない。
【００３４】
また、前記手摺り壁８，８は、図５〜図７に示すように、手摺り壁本体８ａ，８ａと、上階床２ａに形成された挿入穴２ｃに挿入されるとともに手摺り壁本体８ａ，８ａを貫通することによって、手摺り壁本体８ａ，８ａの立設状態を維持する軸部材８ｂ，８ｂ…とを備えている。
そして、この手摺り壁８，８を閉塞部材７として用いる場合は、図５に示すように、前記軸部材８ｂ，８ｂ…を前記挿入穴２ｃおよび手摺り壁本体８ａ，８ａから引き抜いて、手摺り壁本体８ａ，８ａを傾倒可能としてから用いるようにする。
【００３５】
また、前記手摺り壁本体８ａ，８ａは、図６に示すように、前記軸部材８ｂ，８ｂ…の軸方向に沿って持ち上げ可能となっているので、図７に示すように、手摺り壁本体８ａ，８ａを持ち上げながら軸部材８ｂ，８ｂ…を軸に回転させることで、これら手摺り壁本体８ａ，８ａの設置位置を変更することが可能となっている。
【００３６】
なお、本実施の形態の開口部５は平面視矩形状となっており、前記閉塞部材７も開口部５の形状に合わせて形成されているが、これに限られるものではない。すなわち、例えば開口部５および閉塞部材７をマンホールのように円くすることによって、閉塞部材７の落下を確実に防ぐことが可能となる。
また、本実施の形態の閉塞部材７として前記手摺り壁８，８を挙げたが、これに限られるものではなく、例えば前記開口部５に填め込み可能に形成された床パネル等、本発明の趣旨を逸脱しない範囲で適宜変更可能である。
【００３７】
なお、本実施の形態において、前記上階部屋２はベッドスペースとして用いられ、中間部屋４はプレイスペースとして用いられているとしたが、これに限られるものではなく、前記上階部屋２をプレイスペーストし、中間部屋４をベッドスペースとしても良い。
【００３８】
本実施の形態によれば、前記上階床２ａに、前記中間部屋４に向かって開口する開口部５が形成されるとともに、この開口部５の位置に対応して、前記上階床２ａと中間床４ａとの間に梯子６が架設されているので、前記上階部屋２および中間部屋４間を容易に行き来することができ、これら上階部屋２および中間部屋４を、それぞれプレイスペースまたはベッドスペースとして明確に区分して利用することができる。
また、このようにプレイスペースおよびベッドスペースを、上下に振り分けることができることから、従来とは異なり、これら両スペースのそれぞれの面積を狭めたり、上階および下階に設けられたその他の居住空間を必要以上に狭めることがないので、建物１の内部空間を有効的に利用することができる。
これによって、建物１内に明確に区分されたプレイスペースとベッドスペースとを備えながらも、建物１の内部空間を有効的に利用することができ、快適な居住環境を形成することが可能となる。
【図面の簡単な説明】
【００３９】
【図１】本発明に係る建物の実施形態を示す側断面図である。
【図２】図１に示す建物の上階の平面図である。
【図３】図１に示す建物の下階の平面図である。
【図４】開口部が閉塞された状態を示す斜視図である。
【図５】閉塞部材によって開口部を閉塞する形態を示す側断面図である。
【図６】手摺り壁の構造を示す側断面図である。
【図７】手摺り壁の設置位置を変更する形態を示す斜視図である。
【図８】閉塞部材に複数の通気孔が形成された状態を示す側断面図である。
【符号の説明】
【００４０】
１  建物
２  上階部屋
２ａ  上階床
３  下階部屋
３ａ  下階床
４  中間部屋
４ａ  中間床
５  開口部
６  梯子
【図１】
2008196110.tif 000003
【図２】
2008196110.tif 000004
【図３】
2008196110.tif 000005
【図４】
2008196110.tif 000006
【図５】
2008196110.tif 000007
【図６】
2008196110.tif 000008
【図７】
2008196110.tif 000009
【図８】
2008196110.tif 000010